(57)【特許請求の範囲】
【請求項１】
時間方向に連続する複数の物理フレームの各々が、周波数チャネル毎に区分された複数のリソースブロックによって構成された二次元割当空間にあって、送信パケットをいずれのリソースブロックに割り当てるかをスケジューリングする無線アクセスシステムの基地局であって、
送信パケットを、空きのリソースブロックに、即時に割り当てる即時割当手段と、
送信パケットを、所定周期の物理フレームにおける所定周波数チャネルの予約リソースブロックに、割り当てるPersistent割当手段と、
制御チャネル用リソースブロックのリソース割当メッセージ総数に対する、未使用のリソース割当メッセージ数の割合の割当メッセージ残余率を算出する割当メッセージ残余率算出手段と、
データチャネル用リソースブロック総数に対する、既に割り当てられたリソースブロック数の割合の無線リソース負荷率を算出する無線リソース負荷率算出手段と、
前記割当メッセージ残余率が第１の閾値以上であり、且つ、前記無線リソース負荷率が第２の閾値以下であるか否かを判定し、該判定が真である場合に、送信パケットを前記即時割当手段によって割り当て、前記判定が偽である場合に、送信パケットを前記Persistent割当手段によって割り当てるように制御するスケジューリング制御手段と
を有することを特徴とする基地局。
【請求項２】
前記送信パケットには、アプリケーション種別に応じて許容遅延時間が設定されており、
前記即時割当手段は、前記許容遅延時間に基づいて、許容残余時間が最も短い送信パケットから順に、空きのリソースブロックに割り当てることを特徴とする請求項１に記載の基地局。
【請求項３】
前記即時割当手段は、未使用のリソース割当メッセージは残存するものの、予約リソースブロック以外に空きリソースブロックが無い場合、一定時間以上使用されていない開放可能な予約リソースブロックを選択し、その予約リソースブロックを開放し、その後、開放されたリソースブロックに、前記送信パケットを割り当てるように制御する
ことを特徴とする請求項１又は２に記載の基地局。
【請求項４】
ＯＦＤＭＡ(Orthogonal Frequency Division Multiple Access)における無線アクセスシステムに適用され、
前記送信パケットは、パケット長が短く且つ定期的に発生するＶｏＩＰ(Voice over IP)パケットであることを特徴とする請求項１から３のいずれか１項に記載の基地局。
【請求項５】
時間方向に連続する複数の物理フレームの各々が、周波数チャネル毎に区分された複数のリソースブロックによって構成された二次元割当空間にあって、送信パケットをいずれのリソースブロックに割り当てるかをスケジューリングする無線アクセスシステムの基地局における無線フレーム割当方法であって、
制御チャネル用リソースブロックのリソース割当メッセージ総数に対する、未使用のリソース割当メッセージ数の割合の割当メッセージ残余率を算出し、且つ、データチャネル用リソースブロック総数に対する、既に割り当てられたリソースブロック数の割合の無線リソース負荷率を算出する第１のステップと、
前記割当メッセージ残余率が第１の閾値以上であり、且つ、前記無線リソース負荷率が第２の閾値以下であるか否かを判定し、該判定が真である場合に、送信パケットを前記即時割当手段によって割り当て、前記判定が偽である場合に、送信パケットを前記Persistent割当手段によって割り当てるように制御する第２のステップと
を有することを特徴とする無線フレーム割当方法。
【請求項６】
無線アクセスシステムの基地局に搭載されたコンピュータを機能させるプログラムであって、時間方向に連続する複数の物理フレームの各々が、周波数チャネル毎に区分された複数のリソースブロックによって構成された二次元割当空間にあって、送信パケットをいずれのリソースブロックに割り当てるかをスケジューリングする無線リソース割当プログラムであって、
送信パケットを、空きのリソースブロックに、即時に割り当てる即時割当手段と、
送信パケットを、所定周期の物理フレームにおける所定周波数チャネルの予約リソースブロックに、割り当てるPersistent割当手段と、
制御チャネル用リソースブロックのリソース割当メッセージ総数に対する、未使用のリソース割当メッセージ数の割合の割当メッセージ残余率を算出する割当メッセージ残余率算出手段と、
データチャネル用リソースブロック総数に対する、既に割り当てられたリソースブロック数の割合の無線リソース負荷率を算出する無線リソース負荷率算出手段と、
前記割当メッセージ残余率が第１の閾値以上であり、且つ、前記無線リソース負荷率が第２の閾値以下であるか否かを判定し、該判定が真である場合に、送信パケットを前記即時割当手段によって割り当て、前記判定が偽である場合に、送信パケットを前記Persistent割当手段によって割り当てるように制御するスケジューリング制御手段と
してコンピュータを機能させることを特徴とする無線リソース割当プログラム。
【発明の詳細な説明】
【技術分野】
【０００１】
本発明は、無線リソースの割り当てをスケジューリングする基地局、方法及びプログラムに関する。
【背景技術】
【０００２】
近年、第３世代(3rd Generation)セルラシステムに対する後継システムについて、その標準規格の検討が、３ＧＰＰ(3rd Generation Partnership Project)、３ＧＰＰ２(3rd Generation Partnership Project 2)、ＩＥＥＥ８０２．１６等の標準化団体で進められている。これは、次世代セルラシステム（又は３．９Ｇセルラシステム）と称され、多元接続方式としてＯＦＤＭＡ(Orthogonal Frequency Division Multiple Access)が用いられる。この次世代セルラシステムは、データ転送型サービスやリアルタイム系サービスのみならず、従来の回線交換型音声サービスに代わる、ＩＰパケット交換型音声サービスの提供も前提としている。
【０００３】
次世代セルラシステムはパケット交換型システムであって、基地局による集中制御型アーキテクチャを採用している。このアーキテクチャによれば、基地局が、上り回線及び下り回線の通信に必要なリソース割当メッセージを、移動端末へ送信する。即ち、上り回線又は下り回線で送信パケットが発生する毎に、基地局は、制御チャネルを用いて、リソース割当メッセージを移動端末へ送信する必要がある。
【０００４】
また、ＩＰパケット交換型音声サービスでは、ＶｏＩＰ(Voice over IP)パケットが送信される。ＶｏＩＰパケットは、パケット長が短く、且つ、（無音区間を除けば基本的に）短期間の間に定期的に発生するという特徴を有する。使用する音声ＣＯＤＥＣの仕様にも依存するが、例えば、数十バイト長のパケットが数十ミリ秒の間隔で発生する。
【０００５】
このようなＶｏＩＰパケットがパケット交換型システムに流された場合、そのＶｏＩＰパケットの送信の毎に、必要なリソース割当メッセージを、移動端末へ送信しなければならない。ＶｏＩＰパケットが頻繁に送信されることにより、制御チャネルにおけるリソース割当メッセージの数も増大する。これによって、ＶｏＩＰを含むデータ通信サービス全体における周波数利用効率も悪くなる。結局、通信品質の劣化や、システムあたりの収容可能人数の減少という、影響を及ぼす。
【０００６】
このような課題に対して、Persistent割当（又はPersistentスケジューリング）という無線リソース割当技術がある（例えば特許文献１及び非特許文献１〜４参照）。Persistent割当は、ＶｏＩＰトラヒックのようなパケット発生の周期性を利用して、リソース割当メッセージを要することなく、予定周期のリソースブロックを予約して確保する。従って、一度、移動端末に割り当てられた予約リソースブロックは、割当解除が指示されない限り、割り当てられたままとなる。
【０００７】
他の従来技術として、セルラシステム（特に３Ｇ及び３．９Ｇ）では、Ｈ−ＡＲＱ(Hybrid - Automatic Repeat rQuest)と称される再送技術がある。特に代表的な、同期Ｈ−ＡＲＱＨ(Synchronous H-ARQ)によれば、再送間隔が一定である。例えば、非特許文献１又は２に記載された技術によれば、Ｈ−ＡＲＱの再送間隔は、８物理フレーム＝約７．３ミリ秒である。従って、Persistent割当による「継続割当」とは、Ｈ−ＡＲＱ再送間隔毎に、同一の周波数チャネルのリソースブロックを用いることを意味する。
【０００８】
図１は、無線アクセスシステムにおけるリソースブロックの構成図である。
【０００９】
時間方向に連続する複数の物理フレームの各々が、周波数チャネル毎に区分された複数のリソースブロックによって構成された、二次元割当空間を構成する。無線アクセスシステムの基地局は、送信パケットをいずれのリソースブロックに割り当てるかをスケジューリングする。
【００１０】
図１によれば、縦軸に、周波数チャネルが表され、横軸に、時間タイミングとしての物理フレームが表されている。ここで、物理フレームは、複数個のインタレースＩＤの繰り返しによって表される。図１によれば、８物理フレーム毎に、インタレースＩＤが繰り返されている。
【００１１】
インタレースＩＤは、Ｈ−ＡＲＱの再送間隔に基づいて決定される。１つの物理フレームの時間間隔が、例えばおよそ０．９１ミリ秒とする。また、Ｈ−ＡＲＱの再送時間間隔が、例えばおよそ７．３０ミリ秒とする。そうすると、Ｈ−ＡＲＱの再送間隔は、８個の物理フレームで確保される。そうすると、インタレースＩＤは、♯０〜♯７の繰り返しとなる。
インタレースＩＤの値域：［♯０〜♯ｘ］
ｘ＝（（Ｈ−ＡＲＱの再送時間間隔）／（物理フレームの時間間隔））−１
【００１２】
Persistent割当について、ある移動端末に、例えばインタレース＃０及び周波数チャネルＦ０のリソースブロックが予約されているとする。この場合、８個の物理フレーム後のインタレース＃０及び周波数チャネルＦ０のリソースブロックが、当該移動端末に対して、既に予約して割り当てられている。従って、基地局が、移動端末へ、リソース割当メッセージを送信する必要がない。
【００１３】
【特許文献１】特開２００７−２１４８２３号公報
【非特許文献１】3GPP2 C.S0084-001-0 v2.0 “Physical Layerfor Ultra Mobile Broadband (UMB) Air Interface Specification”
【非特許文献２】3GPP2 C.S0084-002-0 v2.0 “Medium AccessControl Layer for Ultra Mobile Broadband (UMB) Air Interface Specification”
【非特許文献３】D. Jiang et al. “Principle and Performanceof Semi-persistent Scheduling for VoIP in LTE System,” Proc. IEEE WICON2007,pp.2861-2864
【非特許文献４】H. Wang et al. “Uplink Capacity of VoIP onLTE System,” Proc. 2007 Asia-Pacific Conf. on Commun., pp.397-400
【発明の開示】
【発明が解決しようとする課題】
【００１４】
しかしながら、Persistent割当を用いた場合、パケットに遅延が生じるだけでなく、無線回線の品質劣化時に実行されるパケットの再送によって、更にパケット遅延が増大するという課題がある。
【００１５】
図２は、パケット遅延を表すリソースブロックの構成図である。
【００１６】
第１の遅延として、Persistent割当の場合、予約して割り当てられた第１の物理フレームと、再送間隔後（７．３ミリ秒後）の第２の物理フレームとの間に、送信パケットが発生しても、即時にリソースブロックは割り当てられない。即ち、次の物理フレーム（第２の物理フレーム）まで遅延させられる。これは、遅延ジッタの増加につながる。
【００１７】
第２の遅延として、Ｈ−ＡＲＱの再送が継続する場合、新規に発生した送信パケットには、Ｈ−ＡＲＱによる再送が終了（成功又は失敗）しない限り、リソースブロックが割り当てられない。即ち、再送終了後に、予約された次の物理フレームまで遅延させられることとなる。これも、遅延ジッタの増大につながる。
【００１８】
逆に、第１及び第２の遅延を解決するために、発生した送信パケットに対して、空きのリソースブロックに、即時に割り当てた場合、リソース割当メッセージの送信に必要な制御チャネル量が増加する。これは、データトラヒックの疎通に影響を及ぼすこととなる。
【００１９】
そこで、本発明は、無線リソースを効率的に使用でき、かつ、送信パケットの遅延時間及び遅延ジッタを低く抑えることができる、無線リソースの割り当てをスケジューリングする基地局、方法及びプログラムを提供することを目的とする。
【課題を解決するための手段】
【００２０】
本発明によれば、時間方向に連続する複数の物理フレームの各々が、周波数チャネル毎に区分された複数のリソースブロックによって構成された二次元割当空間にあって、送信パケットをいずれのリソースブロックに割り当てるかをスケジューリングする無線アクセスシステムの基地局であって、
送信パケットを、空きのリソースブロックに、即時に割り当てる即時割当手段と、
送信パケットを、所定周期の物理フレームにおける所定周波数チャネルの予約リソースブロックに、割り当てるPersistent割当手段と、
制御チャネル用リソースブロックのリソース割当メッセージ総数に対する、未使用のリソース割当メッセージ数の割合の割当メッセージ残余率を算出する割当メッセージ残余率算出手段と、
データチャネル用リソースブロック総数に対する、既に割り当てられたリソースブロック数の割合の無線リソース負荷率を算出する無線リソース負荷率算出手段と、
割当メッセージ残余率が第１の閾値以上であり、且つ、無線リソース負荷率が第２の閾値以下であるか否かを判定し、該判定が真である場合に、送信パケットを即時割当手段によって割り当て、判定が偽である場合に、送信パケットをPersistent割当手段によって割り当てるように制御するスケジューリング制御手段と
を有することを特徴とする。
【００２３】
本発明の基地局における他の実施形態によれば、
送信パケットには、アプリケーション種別に応じて許容遅延時間が設定されており、
即時割当手段は、許容遅延時間に基づいて、許容残余時間が最も短い送信パケットから順に、空きのリソースブロックに割り当てることも好ましい。
【００２４】
本発明の基地局における他の実施形態によれば、即時割当手段は、未使用のリソース割当メッセージは残存するものの、予約リソースブロック以外に空きリソースブロックが無い場合、一定時間以上使用されていない開放可能な予約リソースブロックを選択し、その予約リソースブロックを開放し、その後、開放されたリソースブロックに、送信パケットを割り当てるように制御することも好ましい。
【００２５】
本発明の基地局における他の実施形態によれば、ＯＦＤＭＡ(Orthogonal Frequency Division Multiple Access)における無線アクセスシステムに適用され、送信パケットは、パケット長が短く且つ定期的に発生するＶｏＩＰ(Voice over IP)パケットであることも好ましい。
【００２６】
本発明によれば、時間方向に連続する複数の物理フレームの各々が、周波数チャネル毎に区分された複数のリソースブロックによって構成された二次元割当空間にあって、送信パケットをいずれのリソースブロックに割り当てるかをスケジューリングする無線アクセスシステムの基地局における無線フレーム割当方法であって、
制御チャネル用リソースブロックのリソース割当メッセージ総数に対する、未使用のリソース割当メッセージ数の割合の割当メッセージ残余率を算出し、且つ、データチャネル用リソースブロック総数に対する、既に割り当てられたリソースブロック数の割合の無線リソース負荷率を算出する第１のステップと、
割当メッセージ残余率が第１の閾値以上であり、且つ、無線リソース負荷率が第２の閾値以下であるか否かを判定し、該判定が真である場合に、送信パケットを即時割当手段によって割り当て、判定が偽である場合に、送信パケットをPersistent割当手段によって割り当てるように制御する第２のステップと
を有することを特徴とする。
【００２７】
本発明によれば、無線アクセスシステムの基地局に搭載されたコンピュータを機能させるプログラムであって、時間方向に連続する複数の物理フレームの各々が、周波数チャネル毎に区分された複数のリソースブロックによって構成された二次元割当空間にあって、送信パケットをいずれのリソースブロックに割り当てるかをスケジューリングする無線リソース割当プログラムであって、
送信パケットを、空きのリソースブロックに、即時に割り当てる即時割当手段と、
送信パケットを、所定周期の物理フレームにおける所定周波数チャネルの予約リソースブロックに、割り当てるPersistent割当手段と、
制御チャネル用リソースブロックのリソース割当メッセージ総数に対する、未使用のリソース割当メッセージ数の割合の割当メッセージ残余率を算出する割当メッセージ残余率算出手段と、
データチャネル用リソースブロック総数に対する、既に割り当てられたリソースブロック数の割合の無線リソース負荷率を算出する無線リソース負荷率算出手段と、
割当メッセージ残余率が第１の閾値以上であり、且つ、無線リソース負荷率が第２の閾値以下であるか否かを判定し、該判定が真である場合に、送信パケットを即時割当手段によって割り当て、判定が偽である場合に、送信パケットをPersistent割当手段によって割り当てるように制御するスケジューリング制御手段と
してコンピュータを機能させることを特徴とする。
【発明の効果】
【００２８】
本発明の基地局、方法及びプログラムによれば、割当メッセージ残余率及び無線リソース負荷率に基づいて、即時割当手段とPersistent割当手段とを切り替えることができるので、無線リソースを効率的に使用でき、かつ、送信パケットの遅延時間及び遅延ジッタを低く抑えることができる。
【発明を実施するための最良の形態】
【００２９】
以下では、図面を用いて、本発明を実施するための最良の形態について詳細に説明する。
【００３０】
図３は、本発明における基地局のプロトコル機能構成図である。
【００３１】
図３のプロトコル機能によれば、基地局１は、物理レイヤ部と、ＭＡＣ(Media Access
Control)レイヤ部と、ＩＰレイヤ部と、上位レイヤ部とで表される。物理レイヤ部は、例えば多重化技術としてＯＦＤＭＡが適用され、アンテナ技術としてＭＩＭＯが適用されていてもよい。また、ＭＡＣレイヤ部は、ベアラ・プロトコルと、非ベアラ・プロトコルとに区分され、ベアラ・プロトコルとして、下層ＭＡＣサブレイヤ部と、セキュリティサブレイヤ部と、パケット分割多重サブレイヤ部とを有する。
【００３２】
尚、本発明によれば、送信パケットは、パケット長が短く且つ定期的に発生するものであって、例えばＶｏＩＰ(Voice over IP)パケットを想定する。また、本発明は、ＵＭＢ、ＩＥＥＥ８０２．２０、Evolved UTRA等の様々な無線アクセスシステムに適用できる。
【００３３】
ここで、本発明の特徴ある部分である下層ＭＡＣサブレイヤ部１０は、割当メッセージ残余率算出部１０１と、無線リソース負荷率算出部１０２と、スケジューリング制御部１０３と、即時割当部１０４と、Persistent割当部１０５とを有する。これら機能構成部は、基地局に搭載されたコンピュータを機能させるプログラムを実行することによって実現できる。
【００３４】
割当メッセージ残余率算出部１０１は、制御チャネル用リソースブロックのリソース割当メッセージ総数に対する、未使用のリソース割当メッセージ数の割合の割当メッセージ残余率を算出する。
【００３５】
無線リソース負荷率算出部１０２は、データチャネル用リソースブロック総数に対する、既に割り当てられたリソースブロック数の割合の無線リソース負荷率を算出する。
【００３６】
スケジューリング制御部１０３は、割当メッセージ残余率及び無線リソース負荷率に基づいて、送信パケットを、即時割当部１０４に割り当てるか又はPersistent割当部１０５に割り当てるかを制御する。具体的には、割当メッセージ残余率が第１の閾値以上であり、且つ、無線リソース負荷率が第２の閾値以下であるか否かを判定する。その判定が真である場合に、即時割当部１０４によって割り当て、その判定が偽である場合に、Persistent割当部１０５によって割り当てるように制御する。例えば、第１の閾値は８０％であり、第２の閾値は２０％であってもよい。
【００３７】
スケジューリング制御部１０３は、予約リソースブロックが割り当てられていない送信パケットについて、前述の判定を実行することなく、即時割当部によって割り当てるように制御する。
【００３８】
即時割当部１０４は、送信パケットを、空きのリソースブロックに、即時に割り当てる。ここで、即時割当部１０４は、送信パケットの許容遅延時間に基づいて、許容残余時間が最も短い送信パケットから順に、空きのリソースブロックに割り当てる。送信パケットには、アプリケーション種別に応じて許容遅延時間が設定されている。ＶｏＩＰパケットの許容遅延時間は、ファイルデータと比較して、極めて短い。
【００３９】
また、即時割当部１０４は、未使用のリソース割当メッセージは残存するものの、予約リソースブロック以外に空きリソースブロックが無い場合、一定時間以上使用されていない開放可能な予約リソースブロックを選択し、その予約リソースブロックを開放し、その後、開放されたリソースブロックに、送信パケットを割り当てるように制御する。
【００４０】
Persistent割当部１０５は、送信パケットを、所定周期の物理フレームにおける所定周波数チャネルの予約リソースブロックに、割り当てる。
【００４１】
尚、制御チャネル用リソースブロックにおけるリソース割当メッセージは、適用される無線アクセスシステムによって異なる。例えば、ＵＭＢ規格が適用されている場合、リソース割当メッセージは、リンク割当ブロック（ＬＡＢ：Link Assignment Block）である。また、ＩＥＥＥ８０２．２０規格又はEvolved UTRA規格に適用されることもできる。
【００４２】
図４は、本発明における送信パケットの割り当てを表すリソースブロックの構成図である。
【００４３】
図４によれば、通信状態として、割当メッセージ残余率が第１の閾値以上であり、且つ、無線リソース負荷率が第２の閾値以下であるとする。このとき、図４は、従来技術における図２と対照して説明する。
【００４４】
図２によれば、Persistent割当の場合、予約して割り当てられた第１の物理フレームと、再送間隔後の第２の物理フレームとの間に、送信パケットが発生しても、即時にリソースブロックは割り当てられない。これに対し、図４によれば、その送信パケットは、空きのリソースブロックに即時に割り当てられる。
【００４５】
また、図２によれば、Ｈ−ＡＲＱの再送が継続する場合、新規に発生した送信パケットは、Ｈ−ＡＲＱによる再送が終了（成功又は失敗）しない限り、リソースブロックが割り当てられない。これに対し、図４によれば、その送信パケットは、空きのリソースブロックに即時に割り当てられる。
【００４６】
本発明によれば、割当メッセージ残余率が第１の閾値以上であり、且つ、無線リソース負荷率が第２の閾値以下であるとき、即時割当が選択されるので、新規の送信パケットについて、Persistent割当のような遅延が生じない。逆に、そうでないとき、通常通り、Persistent割当が適用されるだけである。
【００４７】
図５は、本発明におけるフローチャートである。
【００４８】
無線リソースの割り当てが実行される物理フレーム毎に、その時刻までに発生した、新規のＶｏＩＰパケットを対象として、図５の処理が実行される。Ｓ５０１〜Ｓ５０４は、スケジューリング制御部１０３によって実行され、Ｓ５１１〜Ｓ５１９は、即時割当部１０４によって実行され、Ｓ５２１〜Ｓ５２５は、Persistent割当部１０５によって実行される。
【００４９】
（Ｓ５０１）発生したＶｏＩＰパケット毎に、Ｓ５０４までの処理を繰り返す。
【００５０】
（Ｓ５０２）発生したＶｏＩＰパケットに、予約リソースブロックが割り当てられているか否かを判定する。新規の移動端末（又はアプリケーション）から発生したＶｏＩＰパケットであって、予約リソースブロックが割り当てられていない場合、即時割当処理（Ｓ５１１）を実行する。
【００５１】
（Ｓ５０３）ＶｏＩＰパケットに、予約リソースブロックが割り当てられている場合、割当メッセージ残余率が第１の閾値以上であり、且つ、無線リソース負荷率が第２の閾値以下であるか否かを判定する。「割当メッセージ残余率」は、制御チャネル用リソースブロックのリソース割当メッセージ総数に対する、未使用のリソース割当メッセージ数の割合である。また、「無線リソース負荷率」は、データチャネル用リソースブロック総数に対する、既に割り当てられたリソースブロック数の割合である。
【００５２】
この判定が、真である場合、即時割当処理（Ｓ５１１〜Ｓ５１９）が実行され、この判定が偽である場合、Persistent割当処理（Ｓ５２１〜Ｓ５２５）が実行される。
【００５３】
（Ｓ５１１）即時割当対象となる全ての新規のＶｏＩＰパケットについて、Ｓ５１９までの処理を繰り返す。
【００５４】
（Ｓ５１２）許容遅延時間に基づいて、許容残余時間が最も短いＶｏＩＰパケットから順に、以下の処理を実行する。ＶｏＩＰパケットには、アプリケーション種別に応じて許容遅延時間が設定されている。例えば、ＶｏＩＰパケットは、許容遅延時間が比較的短い。ここで、以下の式によって、残余時間を算出する。
残余時間＝許容遅延時間−キューイング遅延時間
（許容遅延時間は、例えば２０ミリ秒である）
【００５５】
（Ｓ５１３）即時割当処理の場合、リソース割当メッセージを送信する必要がある。従って、ここで、割当メッセージが存在するか否か、即ち割当メッセージ数が０よりも大きいか否かを判定する。割当メッセージ数が０である場合、Ｓ５１９へ移行する。
【００５６】
（Ｓ５１４）割当メッセージが存在する場合、即ち割当メッセージ数が０よりも大きい場合、次に、予約リソースブロック（Persistent割当）以外に空きリソースブロックが存在するか否かを判定する。空きリソースブロックが存在する場合、Ｓ５１７へ移行する。
【００５７】
（Ｓ５１５）空きリソースブロックが存在しない場合、予約リソースブロックの中で、開放可能なものがあるか否かを判定する。開放可能な予約リソースブロックが無い場合、Ｓ５１９へ移行する。
【００５８】
Persistent割当によって割り当てられた予約リソースブロックは、一度、ある移動端末に割り当てられると、継続して割り当て続ける。そのために、その移動端末が、終話（ＶｏＩＰ通信の終了）した場合でも、他の移動端末がそのリソースブロックを使用できないために、無線リソースの効率化が図れない。従って、一定時間以上、使用されていない予約リソースブロックについては、開放可能と判定する。
【００５９】
（Ｓ５１６）開放可能な予約リソースブロックが有る場合、一定時間以上使用されていない開放可能な予約リソースブロックを選択し、その予約リソースブロックを開放する。これにより、空きリソースブロックを確保することができる。
【００６０】
（Ｓ５１７）データチャネル用リソースブロックの中で、空きリソースブロックを選択する。
【００６１】
（Ｓ５１８）そして、ＶｏＩＰパケットを、選択された空きリソースブロックに割り当てるように制御する。
【００６２】
（Ｓ５１９）即時割当対象の次のＶｏＩＰパケットを処理するべく、Ｓ５１１へ移行する。
【００６３】
（Ｓ５２１）Persistent割当対象となる全ての新規のＶｏＩＰパケットについて、Ｓ５２５までの処理を繰り返す。
（Ｓ５２２）新規のＶｏＩＰパケットについて、その予約リソースブロックが、Ｈ−ＡＲＱの再送中か否かを判定する。
（Ｓ５２３）再送中であれば、その再送が終了（成功又は失敗）するまで、そのＶｏＩＰパケットは、バッファされる。割当メッセージ残余率が低く（第１の閾値より少ない）且つ無線リソース負荷率が高い（第２の閾値よりも多い）ような状態であれば、遅延時間の増加はやむを得ない対応である。
（Ｓ５２４）再送中でないならば、そのＶｏＩＰパケットを、予約リソースブロックまで待って割り当てる。
（Ｓ５２５）Persistent割当対象の次のＶｏＩＰパケットを処理するべく、Ｓ５２１へ移行する。
【００６４】
以上、詳細に説明したように、本発明の基地局、方法及びプログラムによれば、割当メッセージ残余率及び無線リソース負荷率に基づいて、即時割当手段とPersistent割当手段とを切り替えることができるので、無線リソースを効率的に使用でき、かつ、送信パケットの遅延時間及び遅延ジッタを低く抑えることができる。
【００６５】
本発明は、例えば、高速無線通信規格であるＵＭＢ(Ultra Mobile Broadband)に適用できる。ＵＭＢは、最大２０ＭＨｚの帯域を用いて、最大で下り２８８Ｍｂｐｓ及び上り７５Ｍｂｐｓの無線データ伝送を可能とする。この技術は、ｃｄｍａ２０００ ＥＶ−ＤＯ(Evolution - Data Only)と同様にＩＰベースのネットワークアーキテクチャを採用すると共に、端末同士で平均１７ミリ秒以下の低遅延を実現し、ＶｏＩＰ等のアプリケーションの利用が可能となる。アンテナ技術としては、複数のアンテナを用いるＭＩＭＯ(Multiple Input Multiple Output)と、アダプティブアレイアンテナを用いたＳＤＭＡ(Space Division Multiple Access：空間分割多重アクセス)と、電波の位相と振幅を制御して指向性も持たせるビームフォーミングとを採用する。また、アクセス多重化方式としては、ＦＤＤ(Frequency Division Duplex)又はＴＤＤ(Time Division Duplex)（上り帯域と下り帯域とがそれぞれ１０ＭＨｚずつ確保）を採用する。
【００６６】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００６７】
【図１】無線アクセスシステムにおけるリソースブロックの構成図である。
【図２】パケット遅延を表すリソースブロックの構成図である。
【図３】本発明における基地局のプロトコル機能構成図である。
【図４】本発明における送信パケットの割り当てを表すリソースブロックの構成図である。
【図５】本発明におけるフローチャートである。
【符号の説明】
【００６８】
１  基地局
１０  下層ＭＡＣサブレイヤ部
１０１  割当メッセージ残余率算出部
１０２  無線リソース負荷率算出部
１０３  スケジューリング制御部
１０４  即時割当部
１０５  Persistent割当部
【図１】
0005041597.tif 000002
【図２】
0005041597.tif 000003
【図３】
0005041597.tif 000004
【図４】
0005041597.tif 000005
【図５】
0005041597.tif 000006